(57)【特許請求の範囲】
【請求項１】
処理槽内の循環水路の一部を仕切壁により幅方向に分割して仕切水路を形成し、該仕切水路に各々曝気攪拌機を備え、各仕切水路の両端近傍に堰を配置し、前記曝気攪拌機の運転を切り換えることにより、堰で仕切られた領域を沈澱槽として利用し、連続流入する汚水中の有機物の分解と固液分離とを単一の処理槽内で連続して行うようにしたことを特徴とする汚水の処理装置。
【請求項２】
仕切壁に沿って傾動可能に上澄水排出装置を設けたことを特徴とする請求項１記載の汚水の処理装置。
【請求項３】
前記堰は、曝気攪拌機の運転による水流発生にて傾動して開放状態となり、曝気攪拌機の停止にて直立して閉鎖状態となる浮動堰であることを特徴とする請求項１又は２記載の汚水の処理装置。
【発明の詳細な説明】
【０００１】
【発明の属する技術分野】
本発明は、汚水の処理装置、特に生物的な有機物分解及び固液分離を行う必要のある全ての汚水を、しかも連続して流入する汚水を単一槽にて簡易に処理するようにした汚水の処理装置に関するものである。
【０００２】
【従来の技術】
従来、生活排水、畜産排水、産業廃水等の汚水処理においては、まず曝気槽で汚水中の有機物を好気処理を行った後、これを沈澱槽に導き、ここで固液分離を行って処理している。
【０００３】
【発明が解決しようとする課題】
上記従来の汚水の処理装置には、曝気槽及び沈殿池を用いるため、曝気槽から沈殿池への移送手段、沈殿池での汚泥掻寄手段、沈殿池で堆積した活性汚泥の曝気槽への返送手段を要し、設備が大型、複雑となり、かつ設備費用も嵩み、運転管理も複雑になり、しかも連続して汚水を流入させる場合、前段に流量調整槽をも必要とするという問題点があった。
本発明は、上記従来の汚水の処理装置の有する問題点を解決し、曝気による有機物の処理、固液分離など全ての機能を一つの処理槽に集約し、曝気攪拌機の運転停止の切り替えにて単一槽内を曝気槽と沈殿池とに切替可能とし、従来のような移送手段、掻寄手段、返送手段を不要として連続して流入する汚水を処理することができる汚水の処理装置を提供することを目的とする。
【０００４】
【課題を解決するための手段】
上記目的を達成するため、本発明の汚水の処理装置は、処理槽内の循環水路の一部を仕切壁により幅方向に分割して仕切水路を形成し、該仕切水路に各々曝気攪拌機を備え、各仕切水路の両端近傍に堰を配置し、前記曝気攪拌機の運転を切り換えることにより、堰で仕切られた領域を沈澱槽として利用し、連続流入する汚水中の有機物の分解と固液分離とを単一の処理槽内で連続して行うようにしたことを特徴とする。
【０００５】
上記の構成からなる本発明の汚水の処理装置は、堰で仕切られた領域を沈澱槽として利用可能とし、流入する汚水中の有機物の分解と固液分離とを単一の処理槽内で行うため、沈殿槽を省略して汚水を簡易に処理することができる。
【０００６】
また、連続して流入する排水を並列する仕切水路内の曝気攪拌機を順次切り替えて停止と運転とを行うことにより、単一処理槽内にて有機物分解と固液分離とを連続して行うことができる。
【０００７】
この場合において、仕切壁に沿って傾動可能に上澄水排出装置を設けることができる。
【０００８】
上記の構成からなる本発明の汚水の処理装置は、上澄水排出装置を並列する仕切水路の中間に配設され、浮動堰で仕切られた仕切水路側に傾動させることができるので、仕切水路を交互に沈殿池として機能させて、かつその上澄水の排出が容易に行える。
【０００９】
この場合において、堰は、曝気攪拌機の運転による水流発生にて傾動して開放状態となり、曝気攪拌機の停止にて直立して閉鎖状態となる浮動堰とすることができる。
【００１０】
上記の構成からなる本発明の汚水の処理装置においては、堰は仕切水路内の曝気攪拌機の運転停止にて、これに追随して傾起する浮動堰としているため、他の動力を用いることなく仕切水路内を循環水路から仕切って、沈殿池としての作用を行わしめることができる。
【００１１】
【発明の実施の形態】
以下、本発明の汚水の処理装置の実施の形態を図面に基づいて説明する。
【００１２】
図において１は、循環水路１１を有する処理槽で、図示の実施例では長円形をしている。そしてこの循環水路１１内には、その一部を水流方向に配設する仕切壁２にて２つの仕切水路１１ａと１１ｂに仕切る。
【００１３】
循環水路１１には、１台もしくは複数台の曝気攪拌機３を設置し、仕切水路１１ａ、１１ｂにも曝気攪拌機４ａ、４ｂを設置するとともに、この仕切水路１１ａ、１１ｂの上流端部と下流端部に、即ち上下にそれぞれ浮動堰５ａ、５ｂ、６ａ、６ｂを配設する。
【００１４】
この浮動堰５ａ、５ｂ、６ａ、６ｂは、下部を処理槽壁や仕切壁に揺動可能に支持され、仕切水路１１ａ、１１ｂ内の水流圧により自動的に傾起するもので、仕切水路１１ａ、１１ｂ内の曝気攪拌機４ａ、４ｂの運転にて仕切水路内水流圧にて、前後一対の浮動堰５ａ、６ａまたは５ｂ、６ｂが同時に傾転し、また該曝気攪拌機４ａ、４ｂの停止にて同時に直立するようにする。そして浮動堰５ａ、６ａまたは５ｂ、６ｂが傾転位置にあっては、その仕切水路は循環水路と導通して処理水が流水して循環移動する。反対に曝気攪拌機の停止にて仕切水路内に水流が発生しないときは、循環水路内の水流圧だけでは上流側の浮動堰５ａ、５ｂは傾転せず、直立状態を保持するようにする。
【００１５】
この浮動堰５ａ、５ｂ及び６ａ、６ｂが直立状態の時には、図３に示すように浮動堰５ａ、５ｂ、６ａ、６ｂの上端は水面上に突出しており、この上下流側の浮動堰間にて仕切られた仕切水路内の処理水は、循環することなく停止、すなわち静止状態となり、この状態で処理水中の固形分と水分が分離され、固形分は汚泥として沈澱するものである。
【００１６】
また循環水路１１の一部を水流方向に水路幅方向のほぼ中間位置に配設した仕切壁２内には、回転式パイプスキマー形の上澄水排出装置７を設け、この上澄水排出装置７に排出管８を接続し、曝気攪拌機が停止した仕切水路内の固液分離後の上澄水を排出するものである。
【００１７】
上述の如く構成する汚水処理設備の処理槽１内に、汚水を連続して流入させ、かつ全ての曝気攪拌機３、４ａ、４ｂを駆動すると、循環水路１１、仕切水路１１ａ、１１ｂ内に循環水流が発生し、全ての浮動堰５ａ、５ｂ、６ａ、６ｂは傾転し、流入汚水は１つの水路内を循環しながら所望の曝気にて汚水中の有機物質は分解処理される。この場合、全水路は曝気槽としての機能を果たす。
【００１８】
そして汚水の処理が完了すると、仕切水路１１ａ、１１ｂのうち、いずれか一方、図示では仕切水路１１ｂ側の曝気攪拌機４ｂを停止させると、この仕切水路１１ｂ内での水流発生は停止し、これにより浮動堰５ｂ、６ｂは傾起状態から直立状態となり、該仕切水路１１ｂ内は沈澱槽としての機能を持つ。これにより水流が静止した仕切水路１１ｂ内で重力式にて固液分離が行われ、固形分の汚泥は沈降する。上澄水は上澄水排出装置７を傾動させて処理槽外へ排出するものである。
【００１９】
一方の仕切水路１１ｂ内を浮動堰５ｂ、６ｂにて閉塞し、沈殿池としての作用をしているとき、他方の仕切水路１１ａの曝気攪拌機４ａを駆動し、これにより浮動堰５ａ、６ａを傾動させ、循環水路１１と導通させ、流入する汚水を該水路内を循環させるものである。
【００２０】
仕切水路１１ｂの上澄水の汚水が終了すると、該水路の曝気攪拌機４ｂを駆動すると、浮動堰５ｂ、６ｂは傾動して循環水路と導通する。そして他方の仕切水路１１ａ内の曝気攪拌機４ａを停止する。このようにして並列する仕切水路１１ａ、１１ｂの曝気攪拌機を交互に停止させることによって、上下流両側の浮動堰で囲まれた仕切水路が沈殿池の作用を交互に果たして処理水は静止し、他方の仕切水路内では汚水が循環しているもので、このようにして連続して流入する汚水を連続的に処理するものである。
【００２１】
なお、沈殿汚泥は図５のフローチャートにて示すように上澄水の排水後、沈殿汚泥量が所定量に達すれば排泥装置にて排泥することがある。これ排泥は上澄水の排水毎に行う必要はない。
【００２２】
【発明の効果】
請求項１に記載した本発明の汚水の処理装置によれば、堰で仕切られた領域を沈澱槽として利用可能とし、流入する汚水中の有機物の分解と固液分離とを単一の処理槽内で行うため、沈殿槽を省略して汚水を簡易に処理することができる。
また、連続して流入する汚水を並列する仕切水路内の曝気攪拌機を順次交互に切り替えて停止と運転とを行うことにより、単一処理槽内にて有機物分解と固液分離とを連続して行うことができる。
また、請求項２に記載した本発明の汚水の処理装置によれば、並列する仕切水路の中間で配設され、浮動堰で仕切られた仕切水路側に傾動させることができるので、仕切水路を交互に沈殿池として機能させて、かつその上澄水の排出が容易に行える。
また、請求項３に記載した本発明の汚水の処理装置によれば、堰は浮動堰とし、仕切水路内の曝気攪拌機の運転停止にて、これに追随して傾起するため、他の動力を用いることなく仕切水路内を循環水路から仕切って、沈殿池としての作用を行わしめることができる。
【図面の簡単な説明】
【図１】  本発明の汚水の処理装置の第１実施例を示す平面図である。
【図２】  曝気攪拌時の説明図である。
【図３】  曝気攪拌機の停止時の説明図である。
【図４】  曝気槽の縦断側面図である。
【図５】  本発明の汚水の処理装置を示すフローチャートである。
【符号の説明】
１    処理槽
２    仕切壁
３    曝気攪拌機
４ａ  曝気攪拌機
５ａ  浮動堰
６ａ  浮動堰
７    スカムスキマー形上澄水排出装置
８    排出管
１１  循環水路
１１ａ  仕切水路
１１ｂ  仕切水路
【図１】
0003659736.tif 000002
【図２】
0003659736.tif 000003
【図３】
0003659736.tif 000004
【図４】
0003659736.tif 000005
【図５】
0003659736.tif 000006